(57)【特許請求の範囲】
【請求項１】
屋根上の壁体の下面を構成するとともに前記壁体内の空間部に開口する通気孔を有する基板部と、該基板部の内端位置から垂直下方に延出して屋根面に当接することにより、前記基板部を屋根面の所定量上側に位置決めする位置決め板部と、前記基板部の前記通気孔より外側から下方に突出する水切り板部とを具備する屋根上壁体用通気水切り材を、前記壁体の下部に配置して水切りを行うとともに該壁体内の通気を行うことを特徴とする屋根上壁体の通気水切り構造。
【発明の詳細な説明】
【０００１】
【発明の属する技術分野】
本発明は、屋根上の壁体の下部に配置されて水切りを行うとともに該壁体内の通気を行う屋根上壁体の通気水切り構造に関する。
【０００２】
【従来の技術】
水切りを行うとともに壁体内の通気を行う通気水切り材を住宅の一階部分の壁体の下部に施工することは行われているが、屋根上の壁体の下部にこのような通気水切り材を用いることは行われていない。
【０００３】
【発明が解決しようとする課題】
このため、屋根上の壁体の下部にこのような通気水切り材を用いることで施工性を向上させることを考えた。
ところで、壁体の下部に設けられる水切り材としては、例えば図４に示す形状をなすものがある。このような形状の水切り材５０に通気のための通気孔を形成すれば、屋根上の壁体内の通気をも行うことができる通気水切り材になる。
しかしながら、図４に示す水切り材５０は、これを屋根上の壁体に施工する際には屋根面に対し位置決めするためのレベル出しを予め行う必要があり、施工性の点で問題を生じることが予想された。
【０００４】
したがって、本発明の目的は、施工性を向上させることができる屋根上壁体の通気水切り構造を提供することである。
【０００５】
【課題を解決するための手段】
上記目的を達成するため、本発明の請求項１記載の屋根上壁体の通気水切り構造は、屋根上の壁体の下面を構成するとともに前記壁体内の空間部に開口する通気孔を有する基板部と、該基板部の内端位置から垂直下方に延出して屋根面に当接することにより、前記基板部を屋根面の所定量上側に位置決めする位置決め板部と、前記基板部の前記通気孔より外側から下方に突出する水切り板部とを具備する屋根上壁体用通気水切り材を、前記壁体の下部に配置して水切りを行うとともに該壁体内の通気を行うことを特徴としている。
これにより、位置決め板部を屋根面に当接させることにより、基板部が屋根面の所定量上側に位置決めされることになるため、屋根上壁体用通気水切り材を屋根面に対し位置決めするためのレベル出しを予め行う必要がなくなる。
【０００６】
また、通気孔で良好に壁体内の通気を行うことができる上、通気孔を介して雨水が壁体内に侵入するのを防止できる。
【０００８】
【発明の実施の形態】
本発明の屋根上壁体の通気水切り構造の一の実施の形態を図１〜図３を参照して以下に説明する。なお、以下における内側および外側は建物における内側および外側である。
図１は通気水切り構造を示すもので、図中符号１１は屋根を、符号１２は屋根１１上の壁体を、符号１３は屋根上壁体用通気水切り材を、符号１４は屋根１１および壁体１２の内側に配置される構造用合板を、それぞれ示している。
【０００９】
屋根１１は、屋根材１１０と該屋根材１１０の壁体１２側の上部に設けられた板金下地材１１１とを有しており、これら屋根材１１０および板金下地材１１１に加えて、屋根材１１０の上面から板金下地材１１１の外側面および上面に沿って敷設される屋根部１１２と壁体１２および構造用合板１４の間で立ち上がる雨押え板金立上り部１１３とを有する雨押え板金１１４の前記屋根部１１２で構成されている。なお、この雨押え板金１１４の屋根部１１２の板金下地材１１１上の上面が、屋根１１の上面である屋根面１１ａを構成しており、該屋根面１１ａは水平延在している。
屋根材１１０の下側には、該屋根材１１０の下側に沿って、屋根１１の防水層であるルーフィング１１６の基板部１１７が配置されており、該ルーフィング１１６は、構造用合板１４と雨押え板金立上り部１１３との間で立ち上がるルーフィング立上り部１１８をさらに有している。
屋根上壁体用通気水切り材１３は、壁体１２の下部に配置されて水切りと壁体１２内の通気とを行うものである。なお、以下は屋根上壁体用通気水切り材１３が、屋根１１および壁体１２に対し施工された状態をもって説明する。
【００１０】
屋根上壁体用通気水切り材１３は、壁体１２の下面を構成するとともに屋根面１１ａの所定量上側に該屋根面１１ａに平行に配置される第一平板部（基板部）１６と、該第一平板部１６の内端位置から垂直下方に向け延出して先端縁部１７ａで屋根面１１ａに当接する第二平板部（位置決め板部）１７と、第一平板部１６における第二平板部１７の形成位置から第二平板部１７に対し反対側に突出する突起部１８とを有している。なお、第二平板部１７は、その内側面部１７ｂが鉛直延在する雨押え板金立上り部１１３に当接している。
【００１１】
また、屋根上壁体用通気水切り材１３は、内外方向における第一平板部１６の中間位置から第一平板部１６に対し垂直上方に延出する第三平板部１９と、第一平板部１６における第三平板部１９の形成位置から第三平板部１９に対し反対の垂直下方に第二平板部１７より短く延出する水切り板部２０と、上下方向における第三平板部１９の中間位置から外側に突出する突起部２１と、第三平板部１９の上端位置から外側に突出する突起部２２とを有している。
【００１２】
加えて、屋根上壁体用通気水切り材１３は、その第一平板部１６の外端に上方に突出する突起部２４を有しており、第一平板部１６の上面の第三平板部１９と突起部２４との間には、図３に示すように多数の凹凸状のノッチング２５が施されている。
この屋根上壁体用通気水切り材１３は、合成樹脂等からなるもので、以上の形状に押し出し成形等で一体成形されている。
【００１３】
そして、屋根上壁体用通気水切り材１３の第一平板部１６の第二平板部１７と第三平板部１９との間位置には、その長さ方向に配列された状態で、複数の板厚方向に貫通する通気孔２７が形成されている。この通気孔２７は、壁体１２内を外気に連通させる。
なお、第三平板部１９にも突起部２１，２２間と、突起部２１および第一平板部１６の間とに、板厚方向に貫通する貫通孔２８が形成されている。この第三平板部１９の貫通孔２８は、図２に示すように、壁体１２の後述する縦胴縁３０に第三平板部１９をタッカー３１で止めるために用いられる。
【００１４】
壁体１２は、屋根上壁体用通気水切り材１３の第一平板部１６の上側かつ第三平板部１９の内側に横方向に間隔をあけて配置される複数の縦胴縁３０と、縦胴縁３０および第三平板部１９の外側であって第一平板部１６の上側に施行されるモルタル３２と、縦胴縁３０とモルタル３２との間に設けられるラス複合シート３３と、雨押え板金１１４の雨押え板金立上り部１１３と、ルーフィング１１６のルーフィング立上り部１１８と、縦胴縁３０の間位置に配置されるとともに雨押え板金立上り部１１３およびルーフィング立上り部１１８の間にその下部が入れ込まれる透湿防水シート３４とで構成されている。
【００１５】
ラス複合シート３３は、強化防水紙３７とラス３８とが一体化されたもので、当然のことながらラス３８をモルタル３２側に配置した状態で施工される。
ここで、屋根上壁体用通気水切り材１３の第一平板部１６の通気孔２７は、壁体１２の縦胴縁３０の間に形成された空間部３５に開口することになり、これにより、該空間部３５を第一平板部１６および屋根面１１ａの隙間４０を介して外気に連通させ、その結果、壁体１２内の通気を行う。
このとき、通気孔２７の外側には、該通気孔２７より下側に突出する水切り板部２０が配置されているため、通気のための隙間４０から通気孔２７を介して雨水が壁体１２内に侵入するのを防止する。
【００１６】
なお、通常、雨押え板金１１４の雨押え板金立上り部１１３の高さを７０ｍｍ程度、屋根上壁体用通気水切り材１３の第二平板部１７の高さを１０〜１５ｍｍ程度、水切り板部２０の突出長さを５ｍｍ程度とするのが好ましいが、特に強い風雨に対処する場合には、雨押え板金立上り部１１３の高さを１５０ｍｍ程度、第二平板部１７の高さを３０ｍｍ程度、水切り板部２０の突出長さを１０〜１５ｍｍ程度まで大きくするのが好ましい。また、第二平板部１７の高さを雨押え板金立上り部１１３の高さの半分程度としてもよい。加えて、屋根上壁体用通気水切り材１３の突起部１８の高さを第三平板部１９と同程度の高さまで高くすることも可能であり、このようにすれば、雨押え板金立上り部１１３と突起部１８との二重の返しとなるため好ましい。
【００１７】
以上に述べた屋根上壁体用通気水切り材１３によれば、第二平板部１７の先端縁部１７ａを、雨押え板金１１４の屋根部１１２の屋根面１１ａに当接させ、かつ第二平板部１７の内側面部１７ｂを雨押え板金立上り部１１３に当接させることにより、第一平板部１６が屋根面１１ａの所定量上側に該屋根面１１ａに平行に位置決めされることになるため、第一平板部１６を屋根面１１ａに対し平行にセッティングするためのレベル出しを予め行う必要がなくなる。
したがって、施工性を向上させることができる。
【００１８】
また、第一平板部１６の通気孔２７より外側に、下方に突出する水切り板部２０が形成されているため、通気孔２７で良好に壁体１２内の通気を行うことができる上、通気孔２７を介して雨水が壁体１２内に侵入するのを防止できる。
さらに、以上に述べた通気水切り構造によれば、上記した屋根上壁体用通気水切り材１３を、屋根１１上の壁体１２の下部に設けてなるため、その施工性を向上させることができることになる。
【００１９】
ここで、上記壁体１２において、縦胴縁３０の上にヌキ板を貼らずに強化防水紙一体型のラス複合シート３３を貼り付け、その上からモルタル３２を施工することになるため、壁厚を薄くすることができる。
なお、以上の実施の形態において屋根面を構成する雨押え板金は、屋根材として和瓦、洋瓦、コロニアル（スレート）瓦および鉄板、鋼板等からなる金属製瓦が用いられる場合等に多く採用されるものである。一方、屋根がコンクリート造やＡＬＣ（板）造等で一体的に構築される場合、雨押え板金は省略されることがあり、その場合には、特許請求の範囲に記載の「屋根面」は、コンクリートやＡＬＣ板の仕上材の上面がそれに該当することになる。
【００２０】
【発明の効果】
以上詳述したように、本発明の屋根上壁体の通気水切り構造によれば、位置決め板部を屋根面に当接させることにより、基板部が屋根面の所定量上側に位置決めされることになるため、屋根上壁体用通気水切り材を屋根面に対しセッティングするためのレベル出しを予め行う必要がなくなる。
したがって、施工性を向上させることができる。
【００２１】
また、基板部の通気孔より外側に、下方に突出する水切り板部が形成されているため、通気孔で良好に壁体内の通気を行うことができる上、通気孔を介して雨水が壁体内に侵入するのを防止できる。
【図面の簡単な説明】
【図１】  本発明の屋根上壁体の通気水切り構造の一の実施の形態が適用された壁体および屋根の周囲構造を示す側断面図である。
【図２】  本発明の屋根上壁体の通用通気水切り構造の一の実施の形態が適用された壁体および屋根の周囲構造を示す正面図であって、壁体のモルタルおよびラス複合シートを除いた状態を示すものである。
【図３】  本発明の屋根上壁体の通気水切り構造の一の実施の形態で用いられる屋根上壁体用通気水切り材の側断面図である。
【図４】  従来の水切り材を示す側面図である。
【符号の説明】
１１  屋根
１１ａ  屋根面
１２  壁体
１３  屋根上壁体用通気水切り材
１６  第一平板部（基板部）
１７  第二平板部（位置決め板部）
【図１】
0004017753.tif 000002
【図２】
0004017753.tif 000003
【図３】
0004017753.tif 000004
【図４】
0004017753.tif 000005